(57)【要約】【課題】挿通孔へ誘い込むための面積を確保すると共に、端子金具を大型化させることなく端子金具の保持力を確保する。【解決手段】本明細書によって開示されるコネクタ１０は、雌端子２０と、雌端子２０が収容されるキャビティ３１を有し、雌端子２０と接続可能な雄端子を挿入させる挿通孔３３が設けられたハウジング３０と、キャビティ３１内に片持ち状に設けられ、キャビティ３１の外側の撓み空間３６に向かって弾性変位可能な弾性係止片３５と、挿通孔３３の周縁部に設けられた案内面３４と、ハウジング３０において案内面３４に亘って設けられた型抜き孔４１とを備え、弾性係止片３５を前方から見た際に、弾性係止片３５において案内面３４よりも下側に配された部分には、案内面３４の型抜き孔４１の幅寸法よりも幅広な幅広係止部４２が設けられており、弾性係止片３５は、上方に弾性変位し、幅広係止部４２によって雌端子２０を後方から係止するところに特徴を有する。【選択図】図６
2016062685.tif 000002
【特許請求の範囲】
【請求項１】
電線の端末に装着されるコネクタであって、
前記電線の端末に接続される端子金具と、
前記端子金具が後方から収容されるキャビティを有し、前記端子金具と接続可能な相手方端子を前方から前記キャビティ内に挿入させる挿通孔が設けられたハウジングと、
前記キャビティの内壁に片持ち状に設けられ、前記キャビティの外側に設けられた撓み空間に向かって弾性変位可能な弾性係止片と、
前記ハウジングにおける前記挿通孔の周縁部に設けられ、前記相手方端子を前記挿通孔に誘い込む案内面と、
前記ハウジングにおいて、前記弾性係止片の成形金型を前方に離型させるために前記案内面に亘って設けられた型抜き孔とを備え、
前記型抜き孔を通して前記弾性係止片を前方から見た際に、前記弾性係止片において前記案内面よりも前記撓み空間側に配された部分には、前記案内面に設けられた前記型抜き孔の幅寸法よりも幅広な幅広係止部が設けられており、
前記弾性係止片は、前記端子金具が後方に変位した際に、同端子金具によって前方から押圧されて前記撓み空間とは反対側に弾性変位し、前記幅広係止部によって前記端子金具を後方から係止するコネクタ。
【請求項２】
前記弾性係止片において前記端子金具が接触する前端部は、前記幅広係止部が設けられた位置から前記撓み空間とは反対側に向かうほど前方に向かって傾斜している請求項１記載のコネクタ。
【発明の詳細な説明】
【技術分野】
【０００１】
本明細書によって開示される技術は、コネクタに関する。
【背景技術】
【０００２】
従来、雄端子金具のタブが前方から挿入される挿通孔を有するコネクタとして、特開２００２−１１７９２８号公報（下記特許文献１）が知られている。挿通孔の奥には雌端子金具を収容するキャビティが設けられており、キャビティ内には、上端が幅狭な正面視台形状をなす係止突起を有するランスが設けられている。挿入孔の周縁部は、タブを挿通孔に誘い込む誘導面が設けられており、挿通孔の下部における誘導面には、ランスを形成するための型抜き孔が設けられている。型抜き孔を構成する誘導面は、係止突起の形状に対応するように上部に向かうほど内側に張り出す張出部とされており、この張出部によって誘導面の面積を確保することで、タブ部を挿通孔に誘導することができるようになっている。
【先行技術文献】
【特許文献】
【０００３】
【特許文献１】特開２００２−１１７９２８号公報
【発明の概要】
【発明が解決しようとする課題】
【０００４】
ところで、上記のコネクタによると、ランスによる雌端子金具の保持力を確保するために、雌端子金具によるランスの剪断位置は、係止突起の下端部における幅広の部分に設定されている。ところが、係止突起の下端部を剪断するためには、雌端子金具をランスの下端部の位置まで大きくする必要があるため、雌端子金具を大型化することができない場合には、係止突起の剪断位置が上側にずれてしまうことで、雌端子金具に対するランスの剪断面積が減少し、雌端子金具の保持力を確保することができなくなってしまう。
【０００５】
本明細書では、挿通孔へ誘い込むための面積を確保すると共に、端子金具を大型化させることなく端子金具の保持力を確保する技術を開示する。
【課題を解決するための手段】
【０００６】
本明細書によって開示される技術は、電線の端末に装着されるコネクタであって、前記電線の端末に接続される端子金具と、前記端子金具が後方から収容されるキャビティを有し、前記端子金具と接続可能な相手方端子を前方から前記キャビティ内に挿入させる挿通孔が設けられたハウジングと、前記キャビティの内壁に片持ち状に設けられ、前記キャビティの外側に設けられた撓み空間に向かって弾性変位可能な弾性係止片と、前記ハウジングにおける前記挿通孔の周縁部に設けられ、前記相手側端子を前記挿通孔に誘い込む案内面と、前記ハウジングにおいて、前記弾性係止片の成形金型を前方に離型させるために前記案内面に亘って設けられた型抜き孔とを備え、前記型抜き孔を通して前記弾性係止片を前方から見た際に、前記弾性係止片において前記案内面よりも前記撓み空間側に配された部分には、前記案内面に設けられた前記型抜き孔の幅寸法よりも幅広な幅広係止部が設けられており、前記弾性係止片は、前記端子金具が後方に変位した際に、同端子金具によって前方から押圧されて前記撓み空間とは反対側に弾性変位し、前記幅広係止部によって前記端子金具を後方から係止するところに特徴を有する。
【０００７】
このような構成のコネクタによると、弾性係止片は弾性変位する前の自然の状態では、幅広係止部が案内面よりも撓み空間側に配されており、端子金具が弾性接触片を前方から押圧して、弾性係止片が撓み空間側とは反対側に弾性変位することで幅広係止部が端子金具を後方から係止する。
つまり、案内面よりも撓み空間側で形成される幅広係止部が端子金具を後方から係止する位置に変位して端子金具を後方から係止するから、案内面に設けられた型抜き孔の幅寸法を小さくすることができる。これにより、案内面の面積を確保すると共に、端子金具を大型化したりすることなく端子金具の保持力を確保することができる。
【０００８】
本明細書によって開示される技術の態様として、以下の構成が好ましい。
前記弾性係止片において前記端子金具が接触する前端部は、前記幅広係止部が設けられた位置から前記撓み空間とは反対側に向かうほど前方に向かって傾斜している構成としてもよい。
このような構成によると、端子金具が後方に変位して弾性係止片の前端部に接触すると、端子金具が幅広係止部に向かって誘導されるから、弾性係止片を撓み空間とは反対側に弾性変位させつつ、端子金具を確実に幅広係止部に誘導することができる。
【発明の効果】
【０００９】
本明細書によって開示される技術によれば、挿通孔へ誘い込むための面積を確保すると共に、端子金具を大型化させることなく端子金具の保持力を確保することができる。
【図面の簡単な説明】
【００１０】
【図１】ハウジングの正面図
【図２】図１のＡ−Ａ線の断面に相当するコネクタの断面図
【図３】図２の要部拡大断面図
【図４】雌端子の底板が弾性係止片に接触する前の状態に相当する図１の要部拡大正面図
【図５】雌端子が後方に変位した状態を示す要部拡大断面図
【図６】雌端子の底板が弾性係止片の易剪断部に接触した状態に相当する要部拡大正面図
【図７】ハウジングに治具を挿入する過程の要部拡大断面図
【図８】解除治具によって治具操作部を押圧した状態を示す要部拡大断面図
【図９】解除治具の平面図
【発明を実施するための形態】
【００１１】
＜実施形態＞
実施形態について図１から図９を参照して説明する。
本実施形態は、図２に示すように、電線Ｗの端末に装着されるコネクタ１０であって、図示しない相手側コネクタと嵌合されるものを例示している。なお、以下の説明において、上下方向とは、図１および図２における上下方向を基準とする。また、前後方向とは、図２における左右方向を基準として、図示左側を前側とし、図示右側を後側として説明する。
【００１２】
コネクタ１０は、電線Ｗの端末に接続された雌端子（「端子金具」に相当する）２０と、この雌端子２０を後方から収容するキャビティ３１を有するハウジング３０とを備えて構成されている。
【００１３】
雌端子２０は、導電性を有する金属板材をプレスなどの加工をすることにより形成されている。また、雌端子２０は、図２に示すように、相手側コネクタに設けられた図示しない雄端子と電気的に接続される角筒状の接続筒部２１と、接続筒部２１の後方に設けられた電線接続部２２とを前後方向に繋げた形態とされており、電線接続部２２を電線Ｗの端末に圧着することで雌端子２０が電線Ｗの端末に接続されている。
【００１４】
接続筒部２１は、天井板２１Ａの幅方向両側縁から対向状態をなすように下方に延出された一対の側板２１Ｂの延出端部を天井板２１Ａと対向するように折り曲げて底板２１Ｃを形成することで四角筒状に形成されており、前方から雄端子が挿入可能とされている。
接続筒部２１の天井板２１Ａの内面には、図２に示すように、雄端子と弾性的に接触可能な接触片２３が設けられている。接触片２３は、天井板２１Ａから片持ち状に前方に延出された形態とされており、接触片２３が接続筒部２１内に進入した雄端子に弾性的に接触することで、雌端子２０と雄端子とが電気的に接続されるようになっている。
【００１５】
ハウジング３０は、図１および図２に示すように、合成樹脂製であって、前後方向に長いブロック状に形成されている。ハウジング３０の内部には、図１に示すように、上下および幅方向に整列して配された複数のキャビティ３１と、各キャビティ３１の下方に対応して配された前後に延びる複数の治具挿入孔３２とが設けられている。
各キャビティ３１は、ハウジング３０を前後方向に貫通して形成されており、キャビティ３１の前半分は、キャビティ３１の前側下方に治具挿入孔３２が設けられることで、キャビティ３１の後半分よりも縮径された形態とされている。このため、キャビティ３１の前部における底壁３１Ａは、キャビティ３１の後部における底壁３１Ａよりも上側に配されている。
【００１６】
各キャビティ３１内には、雌端子２０が後方から収容されており、各キャビティ３１の前端開口には、相手側コネクタとコネクタ１０とが嵌合する際に、相手側コネクタの雄端子が挿入される略矩形状の挿通孔３３が形成されている。
挿通孔３３の開口縁部には、図２および図３に示すように、前方から後方に向かうほど挿通孔３３の軸心に向かって傾斜する４つの案内面３４が形成されており、各案内面３４によって雄端子が挿通孔３３に誘い込まれることで、雄端子がキャビティ３１内の雌端子２０に案内されるようになっている。
【００１７】
キャビティ３１の底壁３１Ａにおける前後方向略中央部には、図２および図３に示すように、雌端子２０の接続筒部２１を後方から係止する弾性係止片３５が上下に弾性変位可能に設けられている。
弾性係止片３５は、雌端子２０の保持力を確保するために前後に長い形態で、キャビティ３１と治具挿入孔３２とを前後に分割するように形成されており、底壁３１Ａから前方に向かって片持ち状に延出された係止片本体３７と、係止片本体３７の上面から上方に突出して接続筒部２１の後方に配されるブロック状の係止突部３８とを備えて構成されている。
【００１８】
また、ハウジング３０における係止片本体３７の下方（キャビティ３１の外側）には、図２および図３に示すように、各キャビティ３１の下方に配された治具挿入孔３２と前後に連通する撓み空間３６が設けられている。この撓み空間３６は、各キャビティ３１の下方に配されており、係止片本体３７が上方から進入可能とされている。つまり、係止片本体３７は、同係止片本体３７の根元部分を支点として上側に配されたキャビティ３１と下側に配された撓み空間３６とに進入することで、上下に弾性変位可能とされている。
【００１９】
係止片本体３７は、図４に示すように、上半分が正面視台形状をなす上側係止片本体３７Ｕとされ、下半分が上側係止片本体３７Ｕよりも僅かに前方に向かって突出した正面視略矩形状の下側係止片本体３７Ｌとされている。
上側係止片本体３７Ｕの前端部における幅方向両端部には、図３および図４に示すように、前方および側方に開口する一対の凹部３９が設けられている。上側係止片本体３７Ｕにおける一対の凹部３９の間は、係止突部３８よりも幅狭で、かつ前後に短い易剪断部４０とされており、易剪断部４０の前面は、図５に示すように、下方に向かうほど後方に向かって傾斜した形態とされている。
【００２０】
また、上側係止片本体３７Ｕにおける易剪断部４０の後方には、易剪断部４０よりも幅広な幅広係止部４２が設けられている。幅広係止部４２は、易剪断部４０の直後から上側係止片本体３７Ｕの後端部の範囲に亘って設けられており、一対の凹部３９における後側内壁をそれぞれ含んだ形態で、上側係止片本体３７Ｕの全幅に亘って形成されている。
【００２１】
一方、ハウジング３０における挿通孔３３と治具挿入孔３２との間の領域には、図４に示すように、上側係止片本体３７Ｕおよび係止突部３８を成形する成形金型（図示せず）を前方に離型させるための型抜き孔４１が設けられている。この型抜き孔４１は、ハウジング３０の幅方向中央部において挿通孔３３および治具挿入孔３２と上下に連通して形成されている。
【００２２】
型抜き孔４１のうち、挿通孔３３の下側に配された下側案内面３４Ｌに設けられた型抜き孔４１は、正面視略矩形状の上側型抜き孔４１Ｕとされており、この上側型抜き孔４１Ｕを通して離型される成形金型によって係止突部３８が正面視略矩形状に成形されている。したがって、係止突部３８は、図４に示すように、上側型抜き孔４１Ｕを通して前方に臨んだ状態となっている。
【００２３】
一方、型抜き孔４１のうち、上側型抜き孔４１Ｕよりも下側に配された型抜き孔４１は、下側型抜き孔４１Ｌとされている。下側型抜き孔４１Ｌは、挿通孔３３の下側案内面３４Ｌと治具挿入孔３２との間の領域に設けられており、下側型抜き孔４１Ｌを通して離型される成形金型によって上側係止片本体３７Ｕが形成され、治具挿入孔３２を通して離型される成形金型によって下側係止片本体３７Ｌが形成されている。
【００２４】
また、下側型抜き孔４１Ｌは、下方に向かうほど幅方向両端部が徐々に拡幅することで上側型抜き孔４１Ｕよりも幅広な正面視台形状をなしており、これに伴い、下側型抜き孔４１Ｌを通して前方に臨む上側係止片本体３７Ｕ（幅広係止部４２）も、下方に向かうほど幅広となる正面視台形状に形成されている。
【００２５】
また、下側係止片本体３７Ｌは、治具挿入孔３２を通して前方に臨む正面視略矩形状に形成されており、下側係止片本体３７Ｌの幅寸法は、上側係止片本体３７Ｕの下端部の幅寸法と同じに設定されている。
つまり、図４に示すように、上側型抜き孔４１Ｕに比べて下側型抜き孔４１Ｌを幅広となるように徐々に拡幅させたことで、上側係止片本体３７Ｕにおける幅広係止部４２が下側案内面３４Ｌよりも下方において上側型抜き孔４１Ｕや係止突部３８よりも幅広となるように形成されている。
【００２６】
一方、下側係止片本体３７Ｌの幅方向両側には、図２から図８に示すように、押圧操作することにより係止片本体３７を撓み空間３６に向かって弾性変位させる一対の治具操作部４３が一体に設けられている。一対の治具操作部４３は、下側係止片本体３７Ｌの幅方向両側から幅方向に突出した形態で下側係止片本体３７Ｌに沿うように前後方向に延びて形成されている。
【００２７】
また、各治具操作部４３は、上面が水平で、下面が前方に向かうほど上方に向けて僅かに傾斜する先細り状に形成されており、下側係止片本体３７Ｌの根元から上側係止片本体３７Ｕにおける凹部３９の後端下部の位置まで延出された形態とされている。したがって、一対の治具操作部４３は、弾性係止片３５の両側において係止片本体３７を補強する補強部として機能し、弾性係止片３５の保持力をさらに向上させることができるようになっている。
【００２８】
治具操作部４３の前端上部には、前方に向かうほど下方に傾斜する押圧部４４が設けられており、この押圧部４４は、治具挿入孔３２を通して挿入される解除治具Ｊによって前方から押圧操作可能とされている。
解除治具Ｊは、図９に示すように、その先端が幅方向に二つに分かれた二又部Ｊ１とされており、二又部Ｊ１の先端下部には、図７および図８に示すように、丸みを帯びた形態のＲ面Ｊ２が設けられている。
【００２９】
解除治具Ｊを前方から治具挿入孔３２に挿入すると、図８に示すように、二又部Ｊ１のＲ面Ｊ２によって押圧部４４が押圧され、係止片本体３７が撓み空間３６内に向かって弾性変位することで、接続筒部２１の後方から弾性係止片３５を下方に離脱させることができるようになっている。
【００３０】
係止突部３８は、図３に示すように、係止片本体３７が弾性変位する前の自然の状態の時には、キャビティ３１の前部における底壁３１Ａの位置よりも上方に突出しており、係止突部３８の後面は斜め前上方に向かって傾斜している。係止突部３８の前端面は、下方から上方に向かうほど前方に向けてオーバーハング状に傾斜する正面視略形状の誘導面３８Ａとされており、この誘導面３８Ａは、易剪断部４０の前端面と面一状に形成されている。
【００３１】
つまり、弾性係止片３５の前端部は、撓み空間３６とは反対側である係止突部３８の上端から撓み空間３６側である易剪断部４０に向かうほど後方に傾斜し、かつ易剪断部４０が設けられた上側係止片本体３７Ｕの前端部の位置が最も幅狭に構成されている。
【００３２】
また、係止突部３８は、キャビティ３１の前部における底壁３１Ａの位置よりも上方に突出しており、キャビティ３１内に雌端子２０を挿入する際に、接続筒部２１の底板２１Ｃによって後方から押圧されるようになっている。係止突部３８が接続筒部２１の底板２１Ｃによって押圧されると、係止片本体３７が撓み空間３６に向かって弾性変位し、これに伴って係止突部３８も下方に向かって変位する。
【００３３】
そして、雌端子２０が正規の位置まで挿入されると、係止突部３８に対する接続筒部２１の底板２１Ｃの押圧状態が解除され、係止片本体３７が弾性復帰する。係止片本体３７が弾性復帰すると、係止突部３８が接続筒部２１の底板２１Ｃの後方に配された状態となり、弾性係止片３５によって接続筒部２１の底板２１Ｃが後方から係止されることで、雌端子２０がキャビティ３１内に抜け止め状態に保持されるようになっている。
【００３４】
本実施形態のコネクタ１０は、以上のような構成であって、雌端子２０が後方に変位した際の作用効果を説明する。
例えば、電線Ｗが後方に引っ張られるなどして、雌端子２０が後方に向けて変位すると、接続筒部２１の底板２１Ｃが弾性係止片３５の前端部に接触し、接続筒部２１の底板２１Ｃが係止突部３８の誘導面３８Ａを前方から押圧する。
【００３５】
ここで、係止突部３８の誘導面３８Ａは、易剪断部４０よりも幅広で、かつ易剪断部４０に向けて後方に傾斜しており、誘導面３８Ａは、幅狭な易剪断部４０に比べて、接続筒部２１から受ける力を分散させることができるようになっている。したがって、誘導面３８Ａに対して接続筒部２１の力が作用すると、誘導面３８Ａが受ける圧力は、易剪断部４０が受ける圧力に比べて小さくなり、誘導面３８Ａから易剪断部４０に接続筒部２１の底板２１Ｃが誘導される。つまり、例えば、誘導面から易剪断部に向けて傾斜状に形成されただけのものに比べて、圧力を低下させた分だけ、接続筒部２１の底板２１Ｃを易剪断部４０に向けて速やかに、かつ確実に誘導することができる。
【００３６】
接続筒部２１の底板２１Ｃが誘導面３８Ａによって易剪断部４０に誘導されると、これに伴い、係止片本体３７が根元部分を支点に撓み空間３６とは反対側である上方に向かって弾性変位し（図５を参照）、係止突部３８が上方に向かって変位する。そして、易剪断部４０が接続筒部２１の底板２１Ｃを後方から係止する。
【００３７】
ここで、係止片本体３７と共に係止突部３８が上方に変位すると、図５に示すように、接続筒部２１の底板２１Ｃが配された高さ位置における弾性係止片（上側係止片本体３７Ｕ）３５の前後方向の長さ寸法Ｌ１が、図３に示すように、弾性係止片３５が自然状態の場合における接続筒部２１の底板２１Ｃが配された高さ位置（係止突部３８が配された位置）の前後方向の長さ寸法Ｌ２よりも長くなる。つまり、係止片本体３７と共に係止突部３８が上方に変位することで、接続筒部２１の底板２１Ｃに対する弾性係止片３５の剪断距離が前後方向に長くなり、その結果、剪断面積を大きくすることができるようになっている。
【００３８】
また、係止片本体３７と共に係止突部３８が上方に変位すると、図６に示すように、接続筒部２１の底板２１Ｃの後方に配される部分が、係止突部３８の位置から上側係止片本体３７Ｕの位置まで変位し、接続筒部２１の底板２１Ｃによって剪断される位置が、易剪断部４０や係止突部３８よりも幅広な幅広係止部４２に設定される。
【００３９】
そして、このままさらに雌端子２０が後方に変位すると、易剪断部４０が接続筒部２１の底板２１Ｃを後方から係止し、その後、易剪断部４０の剪断が開始される。そして易剪断部４０が完全に剪断されたところで、係止片本体３７の根元部分と同じ幅寸法の幅広係止部４２が接続筒部２１の底板２１Ｃを後方から係止し、その後、幅広係止部４２の剪断が開始される。
つまり、弾性係止片３５が自然状態から上方に変位し、易剪断部４０が剪断されたところで、接続筒部２１の底板２１Ｃに対する弾性係止片３５の剪断幅が係止突部３８に比べて大きくなり、その結果、剪断面積を大きくすることができる。
【００４０】
また、接続筒部２１の底板２１Ｃによって剪断される位置は、弾性係止片３５が上方に変位することで、係止突部３８から係止突部３８よりも幅広な上側係止片本体３７Ｕ（幅広係止部４２）に変位するようになっているから、上側係止片本体３７Ｕを成形する金型用の下側型抜き孔４１Ｌを下側案内面３４Ｌの下方外側に構成することができる。これにより、上側型抜き孔４１Ｕの幅寸法を小さくすることができ、上側型抜き孔４１Ｕが設けられた下側案内面３４Ｌの面積を大きく確保することができるようになっている。
【００４１】
ところで、本実施形態のように、雌端子２０に対する弾性係止片３５の剪断面積を確保するために、例えば、前後に長い弾性係止片を構成すると、電線が引っ張られて雌端子が後方に変位した場合、弾性係止片が雌端子によって剪断されるよりも先に弾性係止片の根元部分が折れ曲がるように座屈してしまうことが懸念される。このため、例えば、弾性係止片の根元部分を肉厚にして、弾性係止片の座屈を防止する方法も考えられるが、弾性係止片が肉厚になった分だけ、ハウジングが上下方向に大きくなり、コネクタが上下方向に大型化してしまう。
【００４２】
ところが、本実施形態によると、接続筒部２１の底板２１Ｃが係止突部３８の誘導面３８Ａによって易剪断部４０に誘導され、これ伴って弾性係止片３５が上方に弾性変位する。そして、易剪断部４０に案内された接続筒部２１の底板２１Ｃからの力が、弾性係止片３５の後部に配された幅広係止部４２よりも先に幅狭の易剪断部４０に集中し、易剪断部４０の剪断が速やかに開始される。つまり、幅広係止部４２よりも先に易剪断部４０に力を集中させて易剪断部４０を速やかに剪断させることで、弾性係止片３５の根元部分が座屈することを抑制することができるようになっている。
【００４３】
そして、易剪断部４０が剪断された後は、弾性係止片３５の前後の長さ寸法が易剪断部４０の長さ分だけ短くなり、弾性係止片３５全体の強度が高くなる。これにより、この時点においても、弾性係止片３５の座屈を抑制することができるようになっている。また、易剪断部４０が剪断された後は、幅広係止部４２が接続筒部２１の底板２１Ｃによって剪断されるから、ハウジング３０を上下方向に大型化させることなく、雌端子２０の保持力を確保することができる。
【００４４】
また、例えば、易剪断部をなくすことで、はじめから弾性係止片の前後の長さを幅広係止部の位置まで短くし、弾性係止片の剛性を高くすることで座屈を抑制する手段も考えられる。しかしながら、易剪断部をなくして弾性係止片を前後に短くすると、雌端子に対する弾性係止片の剪断面積が極端に小さくなってしまい、雌端子の保持力が確保できなくなる虞がある。
ところが、本実施形態によると、易剪断部４０は弾性係止片３５の根元部分よりも幅狭になるものの、易剪断部４０を設けない場合に比べて、雌端子２０に対する剪断面積を大きくできるから、雌端子２０の保持力を確保することができる。
【００４５】
また、係止片本体３７の前端部に易剪断部４０を構成するにあたり、例えば、弾性係止片の幅方向の一側に幅広な凹部を設けて他側に易剪断部を構成すると、易剪断部側に雌端子からの力が集中し、キャビティ内において雌端子が幅方向に傾いてしまう虞がある。ところが、本実施形態によると、易剪断部４０は、係止片本体３７の幅方向両側に一対の凹部３９を設け、易剪断部４０を幅方向中央部に形成しているから、例えば、弾性係止片の幅方向の一側に幅広な凹部を設ける場合に比べて、キャビティ３１内において雌端子２０が幅方向に傾くことを抑制することができる。
【００４６】
さらに、本実施形態によると、解除治具Ｊによって押圧操作する治具操作部４３が、弾性係止片３５を補強する補強部として機能するから、例えば、弾性係止片の上下面に肉盛りしたり、別途補強部を設けたりする場合に比べて、ハウジング３０を上下に大型化させたり、弾性係止片３５を複雑化させたりすることなく、弾性係止片３５を補強することができる。
【００４７】
ところで、一般に、弾性係止片を撓み空間に向けて弾性変位させるには、弾性係止片の先端に治具操作部を設け、治具操作部が撓み空間を構成する底壁と干渉しない大きさにハウジングを構成する。しかしながら、治具操作部が底壁と干渉しないようにハウジングを構成すると、ハウジングが上下方向に大型化してしまう。ところが、本実施形態によると、一対の治具操作部４３を弾性係止片３５の幅方向両側に設けているから、例えば、弾性係止片の先端に治具操作部を設ける場合に比べて、ハウジング３０が上下方向に大型化することを抑制することができる。
【００４８】
以上のように、本実施形態によると、下側型抜き孔４１Ｌを上側型抜き孔４１Ｕよりも幅広にして上側係止片本体３７Ｕの幅広係止部４２を係止突部３８や上側型抜き孔４１Ｕよりも幅広に形成し、弾性係止片３５が接続筒部２１の底板２１Ｃに押圧されて上方に変位すると、接続筒部２１の底板２１Ｃによって剪断される位置が、係止突部３８から上側係止片本体３７Ｕに変位するようにしている。これにより、上側型抜き孔４１Ｕの幅寸法を大きくして弾性係止片３５を成形する必要がなく、案内面３４の面積を大きく確保することができる。
また、本実施形態によると、弾性係止片３５を上方に変位させて雌端子２０によって幅広係止部４２を剪断するから、例えば、上方に変位しない弾性係止片の幅広係止部を雌端子によって剪断する場合に比べて、幅広係止部４２が上方に変位する寸法分だけ、雌端子２０が大型化することを防ぐことができる。
【００４９】
さらに、本実施形態によると、弾性係止片３５の前端上部に配された係止突部３８には、上側係止片本体３７Ｕの易剪断部４０に接続筒部２１の底板２１Ｃを誘導する誘導面３８Ａが設けられているから、易剪断部４０や幅広係止部４２に接続筒部２１の底板２１Ｃを確実に誘導させることができ、雌端子２０の保持力を確実に確保することができる。
【００５０】
＜他の実施形態＞
本明細書で開示される技術は上記記述及び図面によって説明した実施形態に限定されるものではなく、例えば次のような種々の態様も含まれる。
（１）上記実施形態では、上側係止片本体３７Ｕを係止突部３８や上側型抜き孔４１Ｕよりも幅広な正面視台形状に構成した。しかしながら、これに限らず、上側係止片本体は、係止突部や上側型抜き孔よりも幅広であればよく、例えば、上側係止片本体を正面視略矩形状に構成してもよい。
（２）上記実施形態では、係止突部３８の誘導面３８Ａを正面視略矩形状に構成した。しかしながら、これに限らず、誘導面を下方に向かうほど幅狭となるように構成してもよい。
（３）上記実施形態では、雌端子を内部に収容するコネクタ１０を一例として示した。しかしながら、これに限らず、雄端子を内部に収容するコネクタや防水コネクタなどコネクタ一般に本明細書で開示した技術を適用してもよい。
【符号の説明】
【００５１】
Ｗ：電線
１０：コネクタ
２０：雌端子（端子金具）
３０：ハウジング
３１：キャビティ
３３：挿通孔
３４：案内面
３５：弾性係止片
３６：撓み空間
４１：型抜き孔
４２：幅広係止部
【図１】
2016062685.tif 000003
【図２】
2016062685.tif 000004
【図３】
2016062685.tif 000005
【図４】
2016062685.tif 000006
【図５】
2016062685.tif 000007
【図６】
2016062685.tif 000008
【図７】
2016062685.tif 000009
【図８】
2016062685.tif 000010
【図９】
2016062685.tif 000011